(57)【要約】【課題】排水管路内の流れをスムーズにすることにより、小形汚物及び浮遊系汚物を確実に排出することができる水洗大便器を提供する。【解決手段】本発明による水洗大便器１は、汚物受け面１６と、リム部１８と、凹部２０と、を備えたボウル部８と、洗浄水を前方へ向けて吐水しリム部の内周面に沿って旋回する旋回流を形成する吐水部２２と、汚物を排出する排水管路１２と、を有し、ボウル部の凹部は、溜水水位Ｗより下方に位置する底面３６と、この底面と汚物受け面の下縁部とを接続する壁面３８と、を備え、凹部の底面は、前側領域に形成される前側底面４０と、後側領域に形成される後側底面４２と、を備え、吐水部から吐水された洗浄水がボウル部の前方側より排水管路の入口に向けて流れる主流Ｍ１を形成し、さらに、主流の一部が後側領域に衝突しこの衝突した主流の一部を排水管路内の前方領域へ導く。【選択図】図２
2014194138.tif 000002
【特許請求の範囲】
【請求項１】
洗浄水源から供給される洗浄水により便器本体を洗浄して汚物を排出する水洗大便器であって、
汚物受け面と、上縁に位置するリム部と、汚物受け面の下方に形成された凹部と、を備えたボウル部と、
上記洗浄水を上記ボウル部の前方へ向けて吐水し上記リム部の内周面に沿って旋回する旋回流を形成する吐水部と、
上記ボウル部の凹部にその入口が接続され汚物を排出する排水管路と、を有し、
上記ボウル部の凹部は、溜水水位より下方に位置する底面と、この底面と上記汚物受け面の下縁部とを接続する壁面と、を備え、
上記凹部の底面は、前側領域に形成される前側底面と、後側領域に形成される後側底面と、を備え、
上記ボウル部が、上記吐水部から吐水された洗浄水が上記ボウル部の前方側より上記排水管路の入口に向けて流れる主流を形成するように構成され、
上記凹部の底面の後側底面が、上記主流の一部が衝突しこの衝突した主流の一部を上記排水管路内の前方領域へ導くように構成されていることを特徴とする水洗大便器。
【請求項２】
上記排水管路は、上記凹部の底面と接続しほぼ同一径を有し且つ後方下方へ延びる導入管路と、この導入管路と接続し上方へ延びる排水トラップ管路と、を備える請求項１記載の水洗大便器。
【請求項３】
上記凹部の後側底面は、内側に向けて下方に傾斜するように形成されている請求項１又は２記載の水洗大便器。
【請求項４】
上記凹部の前側底面は、ほぼ水平に形成されている請求項３記載の水洗大便器。
【請求項５】
上記凹部の前側底面は、上記後側底面の下端よりも上方に位置するように形成されている請求項４記載の水洗大便器。
【請求項６】
上記凹部は、その左右側領域の壁面が上記排水管路の側面と上下方向に面一状態で形成されている請求項３乃至５の何れか１項に記載の水洗大便器。
【請求項７】
上記排水管路は、その入口が、平面視で、左右方向の最大幅が、前後方向の最大幅よりも大きな形状で形成されている請求項１乃至６の何れか１項に記載の水洗大便器。
【請求項８】
上記排水管路は、平面視で、その入口の前後方向中心が溜水面の前後方向中心よりも後側に位置し、且つ、その入口の面積が溜水面の面積の半分以下となるように、形成されている請求項６記載の水洗大便器。
【請求項９】
上記ボウル部は、その上方汚物受け面の全域が上方に凸形状で形成されている請求項１乃至８の何れか１項に記載の水洗大便器。
【請求項１０】
上記ボウル部には、上記吐水部から吐水された洗浄水が上記リム部の内周面に沿って旋回するための導水路が形成され、この導水路は、上記吐水部から上記ボウル部の前方端に向かって下方へ徐々に傾斜し、この前方端から後方側に向かって上方へ徐々に傾斜するように形成されている請求項１乃至９の何れか１項に記載の水洗大便器。
【発明の詳細な説明】
【技術分野】
【０００１】
本発明は、水洗大便器に係わり、特に、小形汚物及び浮遊系汚物を確実に排出することができる水洗大便器に関する。
【背景技術】
【０００２】
従来から、例えば、特許文献１に記載されているように、リム吐水口（第１流出口）から吐水された洗浄水をリム通水路に沿って旋回させて、ボウル面（鉢面）前方から排水管路（トラップ）入口へと後方に向けて主流を流し込むようにして汚物を排出する水洗大便器が知られている。この水洗大便器においては、排水管路入口に洗浄水を流し込み易くするため、上方に開口し且つ後方下方に延びる導入管路が設けられている。
【０００３】
なお、特許文献２に記載されているように、ボウル面に凹部を形成して溜水水位の下方に底面を形成し、この底面が排水管路の入口の全周に形成することにより、溜水の旋回を促進して、汚物を排出するようにした水洗大便器も知られている。
【先行技術文献】
【特許文献】
【０００４】
【特許文献１】特開２０１１-１５７７３８号公報
【特許文献２】特開平７-３１０３５２号公報
【発明の概要】
【発明が解決しようとする課題】
【０００５】
しかしながら、上述した特許文献１の水洗大便器においては、リム吐水口から吐水され前方から後方に向けて流れる主流が導入管路に勢い良く流れ込むため、導入管路の後側領域の速度が速くなり、一方、導入管路の前側領域に流入する洗浄水の速度が遅くなり、前側領域に淀みが発生するので、排水管路内のスムーズな流れが阻害されてしまう。このように排水管路内の流れが阻害され、前方領域と後方領域の速度分布に偏りがある（速度分布が一様ではない）と、小形汚物や浮遊系汚物が排出されず溜水中に残ってしまうという問題がある。
【０００６】
なお、小形汚物及び浮遊系汚物の残存する問題を解決するために、特許文献２のように、溜水の旋回性を向上させて小形汚物等を溜水中央に集めることも考えられるが、この場合には、小形汚物等が溜水と共に旋回するのみで排水管路内に入り込んでいかないため、有効に問題を解決することはできない。
【０００７】
そこで、本発明は、従来技術の欠点を解決するためになされたものであり、排水管路内の流れをスムーズにすることにより、重量系汚物と共に、小形汚物及び浮遊系汚物を確実に排出することができる水洗大便器を提供することを目的としている。
【課題を解決するための手段】
【０００８】
上述した目的を達成するために、本発明は、洗浄水源から供給される洗浄水により便器本体を洗浄して汚物を排出する水洗大便器であって、汚物受け面と、上縁に位置するリム部と、汚物受け面の下方に形成された凹部と、を備えたボウル部と、洗浄水をボウル部の前方へ向けて吐水しリム部の内周面に沿って旋回する旋回流を形成する吐水部と、ボウル部の凹部にその入口が接続され汚物を排出する排水管路と、を有し、ボウル部の凹部は、溜水水位より下方に位置する底面と、この底面と汚物受け面の下縁部とを接続する壁面と、を備え、凹部の底面は、前側領域に形成される前側底面と、後側領域に形成される後側底面と、を備え、ボウル部が、吐水部から吐水された洗浄水がボウル部の前方側より排水管路の入口に向けて流れる主流を形成するように構成され、凹部の底面の後側底面が、主流の一部が衝突しこの衝突した主流の一部を排水管路内の前方領域へ導くように構成されていることを特徴としている。
このように構成された本発明においては、吐水部から前方に向けて吐水された洗浄水がボウル部の前方側から排水管路の入口に向けて流れる主流を形成し、この主流の一部が凹部の底面の後側底面に衝突し、この衝突した主流の一部が排水管路内の前方領域に向けて流れる。これにより、排水配管の前方領域に淀みが発生せず、ボウル部の前方側から直接洗浄水が流入する排水管路の後方領域と、底面の後側底面に衝突した洗浄水が流入する排水管路の前側領域とにおいて、洗浄水の流速分布が一様となり（速度分布が均一化され）、排水管路内の洗浄水の流れがスムーズとなるので、小形の汚物及び浮遊系汚物を、排水管路の前側領域に滞留させることなく、確実に排出することができる。
【０００９】
本発明において、好ましくは、排水管路は、凹部の底面と接続しほぼ同一径を有し且つ後方下方へ延びる導入管路と、この導入管路と接続し上方へ延びる排水トラップ管路と、を備える。
このように構成された本発明においては、凹部の底面と接続しほぼ同一径を有し且つ後方下方へ延びる導入管路を設けたので、洗浄水をスムーズに排水管路内に導入することができ、その結果、小形の汚物及び浮遊系汚物を確実に排出することができる。
【００１０】
本発明において、好ましくは、凹部の後側底面は、内側に向けて下方に傾斜するように形成されている。
このように構成された本発明においては、凹部の後側底面が内側に向けて下方に傾斜しているため、この後側底面に衝突した主流の一部を排水管路の前側領域に向けてスムーズに導くことができ、それにより、排水管路の後側領域と前側領域における流速が一様となり、小形の汚物及び浮遊系汚物を確実に排出することができる。
【００１１】
本発明において、好ましくは、凹部の前側底面は、ほぼ水平に形成されている。
このように形成された本発明においては、吐水部から吐水されて旋回する洗浄水の一部が、後方から凹部内に侵入し、ほぼ水平に形成された前側底面に衝突して上昇し、その上方を流れる主流と混合される。これにより、汚物が効果的に攪拌され、排水管路内にスムーズに流入することになる。
【００１２】
本発明において、好ましくは、凹部の前側底面は、後側底面の下端よりも上方に位置するように形成されている。
このように構成された本発明においては、洗浄水が前側底面に衝突して上昇した後、後方に向けて流れ、後側底面に衝突して、排水管路の前側領域に導かれる。これにより、排水管路の前側領域と後側領域の速度分布が一様となり、小形の汚物及び浮遊系汚物を、排水管路の前側領域に滞留させることなく、確実に排出することができる。
【００１３】
本発明において、好ましくは、凹部は、その左右側領域の壁面が排水管路の側面と上下方向に面一状態で形成されている。
このように構成された本発明においては、凹部の左右側領域の壁面が排水管路の側面と上下方向に面一状態で形成されているので、凹部の左右側領域には底面が形成されておらず、そのため、底面上を旋回しようとする洗浄水の旋回が凹部の左右側領域において破壊され、排水管路の前側領域に洗浄水を導くことができる。その結果、排水管路の前側領域と後側領域の速度分布が一様となり、小形の汚物及び浮遊系汚物を、排水管路の前側領域に滞留させることなく、確実に排出することができる。
【００１４】
本発明において、好ましくは、排水管路は、その入口が、平面視で、左右方向の最大幅が、前後方向の最大幅よりも大きな形状で形成されている。
このように構成された本発明においては、排水管路の入口が、平面視で、左右方向の最大幅が前後方向の最大幅よりも大きな形状で形成され、入口の前後方向の幅が小さいのでその分洗浄水を排水管路の前側方向に導き易くなり、入口の左右方向の幅が大きいので大きな汚物を排水管路に導くことができる。
【００１５】
本発明において、好ましくは、排水管路は、平面視で、その入口の前後方向中心が溜水面の前後方向中心よりも後側に位置し、且つ、その入口の面積が溜水面の面積の半分以下となるように、形成されている。
このように構成された本発明においては、排水管路の入口が溜水面の後方側に位置しているので、洗浄水を排水管路の前側領域に導き易くなり、さらに、排水管路の入口の面積が小さく形成されているので、後方から流入する洗浄水が底面に衝突して後方に流れて後側底面に衝突して排水配管の前側領域に流入するので、排水管路内の洗浄水の流れがスムーズとなり、小形の汚物及び浮遊系汚物を、排水管路の前側領域に滞留させることなく、確実に排出することができる。
【００１６】
本発明において、好ましくは、ボウル部は、その上方汚物受け面の全域が上方に凸形状で形成されている。
このように形成された本発明においては、ボウル部の上方汚物受け面の全域が上方に凸形状で形成されているので、上方汚物受け面を流れる洗浄水をスムーズに排水管路の入口に集めることができ、これにより、排水管路内の洗浄水の流れがスムーズとなり、小形の汚物及び浮遊系汚物を、排水管路の前側領域に滞留させることなく、確実に排出することができる。
【００１７】
本発明において、好ましくは、ボウル部には、吐水部から吐水された洗浄水がリム部の内周面に沿って旋回するための導水路が形成され、この導水路は、吐水部からボウル部の前方端に向かって下方へ徐々に傾斜し、この前方端から後方側に向かって上方へ徐々に傾斜するように形成されている。
このように構成された本発明においては、洗浄水がリム部の内周面に沿って旋回するための導水路が形成され、この導水路が吐水部からボウル部の前方端に向かって下方へ徐々に傾斜し前方端から後方側に向かって上方へ徐々に傾斜するように形成されているので、大流量の主流を形成することができる。この主流の一部が凹部の底面の後側底面に衝突し、この衝突した主流の一部が排水管路内の前方領域に向けて流れる。これにより、排水管路の後側領域と前側領域とにおいて洗浄水の流速分布が一様となり、排水管路内の洗浄水の流れがスムーズとなるので、小形の汚物及び浮遊系汚物を、排水管路の前側領域に滞留させることなく、確実に排出することができる。
【発明の効果】
【００１８】
本発明の水洗大便器によれば、排水管路内の流れをスムーズにすることにより、重量系汚物と共に、小形汚物及び浮遊系汚物を確実に排出することができる。
【図面の簡単な説明】
【００１９】
【図１】本発明の実施形態による水洗大便器を示す平面図である。
【図２】図１のII−II線に沿って見た断面図である。
【図３】図１のIII−III線に沿って見た断面図である。
【図４】図１のIV−IV線に沿って見た断面図である。
【図５】図１のV−V線に沿って見た断面図である。
【図６】図１のVI−VI線に沿って見た断面図である。
【図７】図１のVII−VII線に沿って見た断面図である。
【図８】図１のVIII−VIII線に沿って見た断面図である。
【図９】（ａ）は図２のＡ-Ａ線に沿って見た断面図、（ｂ）は図２のＢ-Ｂ線に沿って見た断面図、（ｃ）は図２のＣ-Ｃ線に沿って見た断面図、（ｄ）は図２のＤ-Ｄ線に沿って見た断面図である。
【図１０】本発明の実施形態による水洗大便器の洗浄水の流れの様子を示す平面図である。
【図１１】図１０の断面図である。
【図１２】（ａ）は本発明の比較例による水洗大便器の洗浄水の流速を示す解析結果、（ｂ）は本発明の実施形態による水洗大便器の洗浄水の流速を示す解析結果である。
【発明を実施するための形態】
【００２０】
次に、図１乃至図８を参照して、本発明の実施形態による水洗大便器について説明する。図１は本発明の実施形態による水洗大便器を示す平面図であり、図２は図１のII−II線に沿って見た断面図であり、図３は図１のIII−III線に沿って見た断面図である。
本発明の実施形態による水洗大便器１は、床に設置された排水管（図示せず）に後述する排水トラップ管路が接続される床排水タイプの洗落し式水洗大便器である。さらに、図４は図１のIV−IV線に沿って見た断面図であり、図５は図１のV−V線に沿って見た断面図であり、図６は図１のVI−VI線に沿って見た断面図であり、図７は図１のVII−VII線に沿って見た断面図であり、図８は図１のVIII−VIII線に沿って見た断面図である。
【００２１】
図１乃至３に示すように、水洗大便器１は、便器本体２と、この便器本体２を洗浄する洗浄水を貯水する貯水タンク４を備えている。便器本体２は、表面に釉薬層が形成された陶器製であり、下部にスカート部６が形成され、上半分のうち前方にボウル部８が形成され、後方上部にはその上流端が貯水タンク４に連通する共通通水路１０が形成され、さらに、後方下部に汚物を排出するための排水管路１２が形成されている。
【００２２】
上述した貯水タンク４は、洗浄水源であり、この貯水タンク４内には、排水弁１４が設けられており、操作レバー（図示せず）により開閉するようになっている。なお、本発明は、貯水タンクを持たず水道から直接洗浄水が供給される直圧式水洗大便器や、フラッシュバルブにより洗浄水が供給されるタイプの水洗大便器等にも適用できる。
【００２３】
ボウル部８は、ボウル形状の汚物受け面１６と、上縁に位置するリム部１８と、汚物受け面１６の下方に形成された凹部２０と、を備えている。ここで、リム部１８の内周面１８ａは、図２乃至図７に示すように、内側に向かってオーバハングした形状となっており、後述する旋回する洗浄水が外部へ飛び出ないようになっている。
【００２４】
ボウル部８のリム部１８の内周面の前方から見て左側の中央部の少し後方側に、洗浄水を吐水する第１吐水口２２が形成され、前方から見て右側後方側に、第２吐水口２４が形成されている。これらの第１吐水口２２及び第２吐水口２４は、同一方向（図１では反時計回りの方向）に旋回し、後述する旋回流を形成するようになっている。
【００２５】
また、上述した水洗大便器１の後方上部に形成された共通通水路１０は、便器前方に向かって、第１通水路２６及び第２通水路２８に分岐している。第１通水路２６は、第１吐水口２２に洗浄水を供給するためのものであり、第２通水路２８は、第２吐水口２４に洗浄水を供給するためのものである。
上述した水洗大便器１においては、第１吐水口２２、第１通水路２６及び第２吐水口２４、第２通水路２８は、陶器製の便器本体２と一体に形成されているが、本実施形態による水洗大便器は、この形態に限られず、第１吐水口、第１通水路及び第２吐水口、第２通水路を便器本体とは別体のディストリビユータ等により形成するようにしても良い。
【００２６】
ここで、図２乃至図７に示すように、本実施形態による水洗大便器１のボウル部８の汚物受け面１６は、排水管路１２の入口に向かった放射状の線に沿って、その全域において、上方に凸形状で形成されている。
【００２７】
さらに、図２及び図３に示すように、ボウル部８のリム部１８の内周面１８ａの下方領域には、洗浄水を導く導水路３０が形成されている。この導水路３０は、第１吐水口２２から吐水された洗浄水がリム部１８の内周面１８ａに沿って旋回するためのものであり、第１吐水口２２からボウル部８の前方端に向かって下方に徐々に傾斜し（図２参照）、この前方端から後方側に向かって上方へ徐々に傾斜している（図３参照）。第１吐水口２２から吐水された洗浄水は、この導水路３０に沿って旋回するので、後述するボウル部８の前方側より排水管路１２の導水管路３２の入口３２ａに向けて流れる大流量の主流Ｍを形成することができる。
【００２８】
次に、図２、図３及び図９に示すように、排水管路１２は、凹部２０の底面と接続しほぼ同一径（ほぼ同一断面形状）を有し且つ後方下方へ延びる導入管路３２と、この導入管路３２と接続し上方へ延びる排水トラップ管路３４と、を備えている。この導水管路３２は、入口３２ａを除く部分で、ほぼ同一径（ほぼ同一断面形状）を有し、管路内が同じ断面積となっている。また、排水トラップ管路３４は、上昇路３４ａと下降路３４ｂとから構成されている。
この導水管路３２は、凹部２０の底面と滑らかな連続湾曲面として繋がっており、凹部２０から導入管路３２に流入した洗浄水が導入管路３２内をスムーズに流れるようになっている。
【００２９】
次に、図１乃至図３により、ボウル部８の凹部２０について詳細に説明する。凹部２０は、溜水水位Ｗより下方に位置する底面３６と、この底面３６と汚物受け面１６の下縁部とを接続する壁面３８とを備えている。さらに、この底面３６は、前側領域に形成された前側底面４０と、後方領域に形成された後側底面４２を備えている。
【００３０】
凹部２０の底部３６の前側底面４０は、水平に形成されている。この前側底面４０は、後方に向けて下方に傾斜させてもよい。このように、前側底面４０は、ほぼ水平であり、下方への傾斜角度が０度〜２０度の範囲が好ましい。
また、凹部２０の前側底面４０は、この面の全領域が、溜水水位Ｗより下方に位置し、後側底面４２の下端４２ａよりも上方に位置するように形成されている。
【００３１】
凹部２０の底部３６の後側底面４２は、導入管路３２の前側領域へ指向し、内側に向けて下方に傾斜するように形成されている。ここで、この後側底面４２の水平面に対する下方への傾斜角度は、０度〜６０度の範囲が好ましく、０度〜４５度の範囲がより好ましい。
また、凹部２０の後側底面４２は、この面の全領域が、溜水水位Ｗより下方に位置するように形成されている。なお、凹部２０の後側底面４２は、平坦面である必要はなく、上方に凸状に僅かに湾曲した湾曲面で形成してもよい。
【００３２】
次に、図１に示すように、凹部２０の左右側領域の壁面３８ａ，３８ｂは、排水管路１２の導入管路３２と面一状態で形成されている。これにより、凹部２０の左右側領域には、底面３６が形成されていない。また、排水管路１２の導入管路３２の入口３２ａは、平面視で、その左右方向の最大幅Ｗmaxが前後方向の最大幅Ｌmaxより大きな形状に形成されている。さらに、排水管路１２の導入管路３２の入口３２ａは、平面視で、その前後方向中心が溜水面Ｓの前後方向中心よりも後側に位置し、且つ、その面積が溜水面Ｓの面積の半分以下となるように、形成されている。
なお、凹部２０の左右側領域の壁面３８ａ，３８ｂは、平坦面でなくても、僅かに凹凸が形成されていても良く、底面３８上を旋回しようとする洗浄水の旋回が凹部２０の左右側領域の壁面３８ａ，３８ｂより破壊することができるような面に形成されていれば良い。
【００３３】
次に、図１０乃至図１２を参照して、本実施形態による水洗大便器における洗浄動作を説明する。図１０は本発明の実施形態による水洗大便器の洗浄水の流れの様子を示す平面図であり、図１１は図１０の断面図であり、図１２（ａ）は本発明の比較例による水洗大便器の洗浄水の流速を示す解析結果、図１２（ｂ）は本発明の実施形態による水洗大便器の洗浄水の流速を示す解析結果である。
【００３４】
先ず、使用者が貯水タンク４の操作レバーを操作すると、排水弁１４が開き、貯水タンク４内の洗浄水が、共通通水路１０に流れ、この共通通水路１０から分岐した第１通水路２６及び第２通水路２８を経て、第１吐水口２２及び第２吐水口２４から、それぞれ、洗浄水が吐水される。
【００３５】
第１吐水口２２から吐水された洗浄水は、ボウル部８のリム部１８の内周面１８ａに形成された導水路３０に沿って、先ず、前方に向けて流れ、ボウル部８の前方端を通過した後は、後方に向けて流れる。このとき、洗浄水の一部は、旋回しながらボウル部８を落下し、汚物受け面１６を洗浄する。
【００３６】
第１吐水口２２から吐水され導水路３０に沿って流れる洗浄水の相当量は、ボウル部８の前方側より排水管路１２の導水管路３２の入口３２ａに向けて流れる大流量の主流Ｍを形成する（図１０参照）。この主流Ｍの一部の流れＭ１は、凹部２０の底面３６の後側底面４２に衝突し、その後、導水管路３２内の前方領域に向けて斜め下方前方に流出する（図１１参照）。また、主流Ｍの他の一部の流れＭ２は、導水管路３２の入口３２ａに直接流入する（図１１参照）。
【００３７】
ここで、本実施形態においては、洗浄水がリム部１８の内周面に沿って旋回するための導水路３０が形成され、この導水路３０が第１吐水口２２からボウル部８の前方端に向かって下方へ徐々に傾斜し前方端から後方側に向かって上方へ徐々に傾斜するように形成されているので、大流量の主流を形成することができる。
【００３８】
さらに、本実施形態においては、ボウル部８の汚物受け面１６の全域が上方に凸形状で形成されているので、汚物受け面１６を流れる洗浄水をスムーズに導水管路３２の入口３２ａに集めることができ、これにより、導水管路３２内の洗浄水の流れがスムーズとなる。
【００３９】
本発明の実施形態による水洗大便器１においては、上述したように、第１吐水口２２から前方に向けて吐水された洗浄水がボウル部８の前方側から導水管路３２の入口３２ａに向けて流れる主流Ｍを形成し、この主流Ｍの一部Ｍ１が凹部２０の底面３６の後側底面４２に衝突し、この衝突した主流の一部Ｍ１が導水管路３２内の前方領域に向けて流れる。特に、底面３６の後側底面４２は、内側に向けて下方に傾斜するように形成されているため、この後側底面４２に衝突した主流の一部の流れＭ１を導水管路３２の前側領域に向けてスムーズに導くことができる。また、導水管路３２内の後方領域には、洗浄水の主流の他の一部の流れＭ２が流入する。
【００４０】
これにより、ボウル部８の前方側から直接洗浄水が流入する導水管路３２の後方領域と、底面３６の後側底面４２に衝突した洗浄水が流入する導水管路３２の前側領域とにおいて、洗浄水の流速分布が一様となり（速度分布が均一化され）、即ち、導水管路３２の前側領域に淀みが発生することがないので、導水管路３２内の洗浄水の流れがスムーズとなるので、小形の汚物及び浮遊系汚物を、導水管路３２の前側領域に滞留させることなく、確実に排出することができる。
【００４１】
また、排水管路１２の導水管路３２は、凹部の底面と接続しほぼ同一径（ほぼ同一断面形状）を有し且つ後方下方へ延びるように形成されているので、洗浄水をスムーズに導水管路３２内に導入することができ、その結果、小形の汚物及び浮遊系汚物を確実に排出することができる。
【００４２】
一方、第２吐水口２４から吐水された洗浄水は、旋回しながらボウル部８を落下し、汚物受け面１６の後方領域を洗浄する。さらに、この第２吐水口２４から吐水された洗浄水は、凹部２０内に後方から流入する流れＭ３を形成する（図１１参照）。この第２吐水口２４の洗浄水の流れＭ３は、凹部２０の底面３６の前側底面４０に向かって流入する。
【００４３】
このとき、凹部２０の前側底面４０は、ほぼ水平に形成されているので、第２吐水口２４から吐水された洗浄水の流れＭ３は、前側底面４０に衝突して上昇し、その上方を流れる主流Ｍ１，Ｍ２と混合される。これにより、汚物が効果的に攪拌され、導水管路３２内にスムーズに流入することになる。
【００４４】
また、凹部２０の前側底面４０は、後側底面４２の下端４２ａよりも上方に位置するように形成されているので、第２吐水口２４から吐水された洗浄水の流れＭ３が前側底面４０に衝突して上昇した後、後方に向けて流れ、後側底面４２に衝突して、導水管路３２の前側領域に導かれる。これにより、導水管路３２の前側領域と後側領域の速度分布がより効果的に一様となる。
【００４５】
また、凹部２０は、その左右側領域の壁面３８ａ，３８ｂが導水管路３２の側面と上下方向に面一状態で形成されているので、凹部２０の左右側領域には底面３６が形成されていない。そのため、底面３６上を旋回しようとする洗浄水の旋回が凹部２０の左右側領域において破壊され、導水管路３２の前側領域に洗浄水をより効果的に導くことができ、それにより、導水管路３２の前側領域と後側領域の速度分布がより効果的に一様となる。
【００４６】
導水管路３２の入口３２ａが、平面視で、左右方向の最大幅Ｗmaxが、前後方向の最大幅Ｌmaxよりも大きな形状で形成されているので、入口の前後方向の幅が小さいのでその分洗浄水を導水管路３２の前側方向に導き易くなり、入口の左右方向の幅が大きいので大きな汚物を導水管路３２に導くことができる。
【００４７】
さらに、導水管路３２の入口３２ａは、平面視で、その前後方向中心が溜水面の前後方向中心よりも後側に位置しているので、洗浄水を導水管路３２の前側領域に導き易くなり、さらに、入口３２ａの面積が溜水面Ｓの面積の半分以下となるように形成されているので、後方から流入する第２吐水口２４から吐水された洗浄水が底面３６に衝突して後方に流れて後側底面４２に衝突して導入配管３２の前側領域に流入するので、導入管路３２内の洗浄水の流れが更にスムーズとなる。
【００４８】
本発明者らは、本発明による水洗大便器における洗浄水の流れを、実験により確認すると共に数値解析によっても確認した。実験及び解析のために、凹部の底面の後側底面が形成されていない水洗大便器を比較例として準備した。
図１２（ａ）に示されているように、比較例による水洗大便器においては、導水管路の前側領域において、淀みが発生している。一方、図１２（ｂ）に示されているように、本発明の実施形態による水洗大便器においては、導水管路の前側領域に淀みは発生しておらず、導水管路の前側領域及び後側領域において、速度分布が一様となっている。
【００４９】
以上説明したように、本実施形態による水洗大便器によれば、導水管路３２の前側領域に淀みが発生することがなく、導水管路３２の前側領域及び後側領域において、洗浄水の流速分布が一様となる（速度分布が均一化される）ので、導水管路３２内の洗浄水の流れがスムーズとなり、それにより、小形の汚物及び浮遊系汚物を、導水管路３２の前側領域に滞留させることなく、確実に排出することができる。
【００５０】
上述した実施形態は、洗い落とし式水洗大便器であったが、本発明はサイホン式水洗大便器にも適用可能である。
また、上述した実施形態においては、第１吐水口２２及び第２吐水口２４から洗浄水が吐水されるようになっているが、これに限らず、第１吐水口のみから吐水し、第２吐水口を省略するようにしてもよい。この場合には、第１吐水口から吐水される洗浄水量を多くすることができるので、第１吐水口から吐水された洗浄水の一部はボウル部の後方まで旋回して、後方から凹部に侵入することができ、第２吐水口から吐水される場合と実質的に同じとなる。
【符号の説明】
【００５１】
１  水洗大便器
２  便器本体
４  貯水タンク
８  ボウル部
１２  排水管路
１６  汚物受け面
１８  リム部
１８ａ  内周面
２０  凹部
２２  第１吐水口
２４  第２吐水口
３０  導水路
３２  導水管路
３２ａ  入口
３４  排水トラップ管路
３６  底面
３８  壁面
４０  前側底面
４２  後側底面
４２ａ  下端
Ｍ，Ｍ１，Ｍ２，Ｍ３  主流
Ｗ  溜水水位
Ｓ  溜水面
【図１】
2014194138.tif 000003
【図２】
2014194138.tif 000004
【図３】
2014194138.tif 000005
【図４】
2014194138.tif 000006
【図５】
2014194138.tif 000007
【図６】
2014194138.tif 000008
【図７】
2014194138.tif 000009
【図８】
2014194138.tif 000010
【図９】
2014194138.tif 000011
【図１０】
2014194138.tif 000012
【図１１】
2014194138.tif 000013
【図１２】
2014194138.tif 000014